(57)【要約】【課題】生育前や生育途中等の植物の生育段階を問わず、壁面とネットとの間隔や、ネット間の間隔を容易に変更することが可能な緑化用ネットを提供する。【解決手段】緑化用ネットは、壁面と対向して設けられ、複数の縦糸と複数の横糸とを編組して形成されるネットと、壁面に対するネットの間隔を調整する間隔調整手段とを備えた構成とした。【選択図】図１
2014217277.tif 000002
【特許請求の範囲】
【請求項１】
壁面と対向するネットを有し、建造物の外側に配設される緑化用ネットにおいて、
前記壁面に対するネットの間隔を調整する間隔調整手段を備えたことを特徴とする緑化用ネット。
【請求項２】
前記緑化用ネットは、互いに対向する複数のネットを備え、
前記間隔調整手段が、各ネット間の間隔を調整することを特徴とする請求項１記載の緑化用ネット。
【請求項３】
前記間隔調整手段が、前記壁面とネットとの間に設けられるターンバックルであることを特徴とする請求項１または請求項２記載の緑化用ネット。
【請求項４】
前記間隔調整手段が、前記壁面とネットとの間に設けられる伸縮自在の伸縮棒であることを特徴とする請求項１または請求項２記載の緑化用ネット。
【請求項５】
前記間隔調整手段が、長尺板の長手方向に延長するスロット内を摺動自在に移動し、前記ネットと摺動リンクの一端部とが取付けられる摺動部と、
前記摺動リンクと対向し、一端部が回転自在に固定される支持リンクと、
前記摺動リンクの他端部と支持リンクの他端部とを回転可能に接続する枢支部と、を備えたリンク機構であることを特徴とする請求項１または請求項２記載の緑化用ネット。
【請求項６】
前記間隔調整手段が、前記ネットよりも外側に設けられる第一の滑車と、
前記第一の滑車よりも壁面側に設けられる第二の滑車と、
前記第一の滑車と前記第二の滑車に架け渡され、前記ネットが接続されるロープと、を備えた滑車機構であることを特徴とする請求項１または請求項２記載の緑化用ネット。
【発明の詳細な説明】
【技術分野】
【０００１】
本発明は、建造物の外側に設けられる緑化用ネットに関する。
【背景技術】
【０００２】
一般に、室内等の気温や日射等の調整を目的として、建造物の壁面等の緑化が試みられている。壁面等の緑化を行う方法の一つとして、縦紐と横紐とをメッシュ状に編組した緑化用ネットを壁面と対向するように設置した後、当該緑化用ネットの下部につる性植物等を植栽し、つる性植物を緑化用ネットに沿うように生育させることにより日射を遮る方法が知られている。
例えば特許文献１には、壁面の前側に立設されるフレーム構造体に、互いに対向する２枚のネットを所定の間隔離間させた状態で配設した緑化用ネットが開示されている。上記特許文献１に係る緑化用ネットにおいては、異なる種類の植物をそれぞれのネットに植栽することができる等のメリットが存在するものの、壁面とネットとの間隔、あるいは２枚のネット間の間隔が常に一定に保たれるため、植物の種類，生育度合，季節等に応じて植物の生育状況を変えることや、窓から室内へ入射する光の量を調整することが困難であった。
【先行技術文献】
【特許文献】
【０００３】
【特許文献１】特開２００８−７９５１９号公報
【発明の概要】
【発明が解決しようとする課題】
【０００４】
本発明は、上記課題を解決するため、生育前や生育途中等の植物の生育段階を問わず、壁面とネットとの間隔や、ネット間の間隔を容易に変更することが可能な緑化用ネットを提供することを目的とする。
【課題を解決するための手段】
【０００５】
上記課題を解決するため、本発明に係る緑化用ネットの構成として、壁面と対向するネットを有し、建造物の外側に配設される緑化用ネットにおいて、壁面に対するネットの間隔を調整する間隔調整手段を備えた。
本発明に係る緑化用ネットによれば、間隔調整手段を備えたので、壁面に対するネットの間隔を調整することができる。
また、緑化用ネットの他の構成として、緑化用ネットが互いに対向する複数のネットを備え、間隔調整手段が各ネット間の間隔を調整する構成とすれば、上記構成から生じる効果に加え、複数のネット間の間隔を調整することができる。
また、緑化用ネットの他の構成として、間隔調整手段を壁面とネットとの間に設けられるターンバックルとすれば、ターンバックルの回転により壁面に対するネットの間隔を調整することができる。
また、緑化用ネットの他の構成として、間隔調整手段を壁面とネットのとの間に設けられる伸縮自在の伸縮棒とすれば、伸縮棒の伸縮により壁面に対するネットの間隔を調整することができる。
また、緑化用ネットの他の構成として、間隔調整手段を、長尺板の長手方向に延長するスロット内を摺動自在に移動し、ネットと摺動リンクの一端部とが取付けられる摺動部と、摺動リンクと対向し、一端部が回転自在に固定される支持リンクと、摺動リンクの他端部と支持リンクの他端部とを回転可能に接続する枢支部とを備えたリンク機構とすれば、枢支部の回転により壁面に対するネットの間隔を調整することができる。
また、緑化用ネットの他の構成として、間隔調整手段を、ネットよりも外側に設けられる第一の滑車と、第一の滑車よりも壁面側に設けられる第二の滑車と、第一の滑車及び第二の滑車に架け渡され、ネットが接続されるロープとを備えた滑車機構とすれば、ロープの移動により壁面に対するネットの間隔を調整することができる。
【図面の簡単な説明】
【０００６】
【図１】緑化用ネットの斜視図である。
【図２】緑化用ネットの側面図である。
【図３】緑化用ネットの一部を拡大して示す斜視図である。
【図４】実施形態２に係る間隔調整手段を拡大して示す斜視図である。
【図５】実施形態２に係る間隔調整手段の他の例を示す断面図である。
【図６】実施形態２に係る間隔調整手段の他の例を示す断面図である。
【図７】実施形態３に係る緑化用ネットの簡略構成図である。
【図８】実施形態４に係る緑化用ネットの簡略構成図である。
【図９】他の緑化用ネットを示す斜視図である。
【発明を実施するための形態】
【０００７】
以下、発明の実施形態を通じて本発明を詳説するが、以下の実施形態は特許請求の範囲に係る発明を限定するものではなく、また実施形態の中で説明される特徴の組み合わせの全てが発明の解決手段に必須であるとは限らず、選択的に採用される構成を含むものである。
【０００８】
実施形態１
図１乃至図３は本発明による緑化用ネットの一実施形態を示す簡略構成図であり、各図において１は緑化用ネットであり、この緑化用ネット１は、ビル，住宅，マンション，アパート等の建造物２の壁面３から一定の距離離間した位置に配設される内ネット４と、この内ネット４より一定距離離間した位置に配置される外ネット５とより構成される２重ネットとなっている。内ネット４，外ネット５は、縦紐と横紐とを編組し、各紐の交差部分をそれぞれ結合して成る。
【０００９】
内ネット４と外ネット５との下部前方には、土壌等を収納する複数のプランター６Ａ，プランター６Ｂが設置される。各プランター６Ａ，６Ｂには、アサガオ，へちま，ツルレイシ（ゴーヤ）等のつる性植物の苗７Ａ，苗７Ｂが植栽され、苗７Ａの蔓が内ネット４に絡みつつ上方に向けて生育し、同時に苗７Ｂの蔓が外ネット５に絡みつつ上方に向けて生育する。結果として、これ等つる性植物により、夏場等に窓３Ａへの日射が遮られることから、各部屋の昇温を抑えることが可能となる。
【００１０】
建造物２の壁面３の下部，中部，上部には、下フレーム８，中フレーム９，上フレーム１０がそれぞれ左右の固定体１１，固定体１２，固定体１３に取付けられる。下フレーム８，中フレーム９，上フレーム１０は、壁面３に近い方に位置する内水平部材としての内水平棒８Ａ，内水平棒９Ａ，内水平棒１０Ａと、この内水平棒８Ａ，内水平棒９Ａ，内水平棒１０Ａより前方に位置する外水平部材としての外水平棒８Ｂ，外水平棒９Ｂ，外水平棒１０Ｂとを備える。
内水平棒８Ａと外水平棒８Ｂの両端には、互いに近接方向に直角に折曲された突出棒８Ｃ，突出棒８Ｄが形成され、内水平棒９Ａと外水平棒９Ｂの両端には近接方向に直角に折曲された突出棒９Ｃ，突出棒９Ｄが形成され、内水平棒１０Ａと外水平棒１０Ｂの両端には近接方向に直角に折曲された突出棒１０Ｃ，突出棒１０Ｄが形成される。
【００１１】
外方に突出する突出棒８Ｃ，突出棒９Ｃ，突出棒１０Ｃの先端側には、図３に示す雄ねじ部Ｎ１が切ってあり、また内方に突出する突出棒８Ｄ，突出棒９Ｄ，突出棒１０Ｄの先端側には、上記雄ねじ部Ｎ１とは対向方向の雄ねじ部Ｎ２が切ってある。突出棒８Ｃ，突出棒９Ｃ，突出棒１０Ｃの先端側の雄ねじ部Ｎ１と、突出棒８Ｄ，突出棒９Ｄ，突出棒１０Ｄの先端側の雄ねじ部Ｎ２とがターンバックル３１，３２，３３，３４，３５，３６の両端に逆方向に切った雌ねじ部Ｆ１，雌ねじ部Ｆ２に螺合する。
【００１２】
上記内水平棒８Ａ，内水平棒９Ａ，内水平棒１０Ａの両端からは、壁面３方向に突出する取付け棒８Ｅ，取付け棒９Ｅ，取付け棒１０Ｅが設けられ、当該取付け棒８Ｅ，９Ｅ，１０Ｅが固定体１１，固定体１２，固定体１３にねじ１７を介して固定される。
なお、固定体１３よりも上方に左右一対の固定部１３ｍが設けられ、この固定部１３ｍにワイヤ４０の後端がねじ１７で固定され、ワイヤ４０の先端は外水平棒１０Ｂに図外のフックを介してそれぞれ係合される。左右のワイヤ４０により外水平棒１０Ｂ側にかかる下方向への荷重負荷を軽減している。
内ネット４，外ネット５の縦紐の下端にはフック１８Ａ，１８Ｂが係合され、内ネット４，外ネット５の縦紐の上端にはフック１９Ａ，１９Ｂが係合される。フック１８Ａ，フック１８Ｂは内水平棒８Ａ，外水平棒８Ｂに掛けられ、フック１９Ａ，フック１９Ｂは内水平棒１０Ａ，外水平棒１０Ｂに掛けられる。また、上記縦紐の中央部分は、内水平棒９Ａ，外水平棒９Ｂに等配されたリング体２０Ａ，リング体２０Ｂに通されることにより、縦紐の前，後，左，右方向の揺れを防止する。
【００１３】
以上の構成より、図１，２に示すように、ターンバックル３１，３２，３３，３４，３５，３６を一方向に回動することにより、外水平棒８Ｂ，外水平棒９Ｂ，外水平棒１０Ｂを内水平棒８Ａ，内水平棒９Ａ，内水平棒１０Ａ（建造物２の壁面３）方向に近づけたり、ターンバックル３１，３２，３３，３４，３５，３６を他方向に回動することにより、外水平棒８Ｂ，外水平棒９Ｂ，外水平棒１０Ｂを内水平棒８Ａ，内水平棒９Ａ，内水平棒１０Ａ（建造物２の壁面３）方向から遠ざけたりして、内ネット４と外ネット５との間隔Ｄの調整が可能となる。なお、通常の場合の間隔Ｄは、例えば３０ｃｍ〜５０ｃｍ程度の範囲に設定される。
【００１４】
つまり、本実施形態においては、突出棒８Ｃ；８Ｄ，９Ｃ；９Ｄ，１０Ｃ；１０Ｄに形成された雄ねじ部Ｎ１，Ｎ２と、ターンバックル３１，３２，３３，３４，３５，３６に形成された雌ねじ部Ｆ１，Ｆ２との螺合により、内水平棒８Ａ，内水平棒９Ａ，内水平棒１０Ａ及び外水平棒８Ｂ，外水平棒９Ｂ，外水平棒１０Ｂの間隔を変更して内ネット４と外ネット５との間隔Ｄ（壁面３に対する外ネット５の位置）を調整する間隔調整手段を構成している。
【００１５】
よって、植栽する植物の種類や植物の生育度合、あるいは季節等に応じて、植物の生育前や、生育途中であっても内ネット４の外ネット５に対する間隔Ｄを調整することにより植物の密度の増加，減少等の調整ができる。また、内ネット４と外ネット５との間隔Ｄの調整により、窓３Ａに対する日射抑制効果の向上や壁面３の外観を向上することが可能となる。
【００１６】
具体的な調整の方法としては、例えば、内ネット４に入射する日射量が少ないことにより植物の生育が悪い場合には、内ネット４と外ネット５との距離を広げ、太陽光を取り込み易くすればよい。これにより光合成が促進され、植物の生育向上が期待できる。
また、例えば夏場等に窓３Ａに入射する光の量を今まで以上に遮る必要がある場合には、内ネット４と外ネット５との距離を狭め、植物の密度を高くすればよい。これにより窓３Ａへの日射を遮ることができるとともに、室温の上昇を防ぐこともできる。
さらに、生育させるべき植物の種別に応じて内ネット４と外ネット５の間隔Ｄをあらかじめ調整しておいてから生育させることもできる。
【００１７】
実施形態１においては、緑化用ネット１の構造として、内ネット４と外ネット５とを備える２重ネットについて説明したが、緑化用ネット１の構造は上記例に限定されない。即ち、図９に示すように、１枚のネットから緑化用ネットを構成しても良い。なお、以下の説明において、図１〜図３と同一のものは同一符号を用い、その説明を省略する。
【００１８】
図９に示す緑化用ネット１´は、緑化用ネット１の内ネット４に相当する構成が取り除かれた構造であって、ネット５´と、下フレーム８´，中フレーム９´，上フレーム１０´とを備える。ネット５´は、縦紐と横紐とが編組され、緑化用ネット１の外ネット５に相当する。
下フレーム８´，中フレーム９´，上フレーム１０´は、外水平棒８Ｂ，外水平棒９Ｂ，外水平棒１０Ｂと、突出棒８Ｄ，突出棒９Ｄ，突出棒１０Ｄと、上記緑化用ネット１の突出棒８Ｃ，９Ｃ，１０Ｃ及び取付け棒８Ｅ，９Ｅ，１０Ｅに相当する接続棒８Ｎ，接続棒９Ｎ，接続棒１０Ｎとを備える。各接続棒８Ｎ，９Ｎ，１０Ｎは、外水平棒８Ｂ，９Ｂ，１０Ｂ側の先端に雄ねじ部Ｎ１が形成され、各ターンバックル３１，３２，３３，３４，３５，３６に形成された雌ねじ部Ｆ１と螺合する。また、接続棒８Ｎ，９Ｎ，１０Ｎは、壁面３側が固定体１１，１２，１３にねじ１７を介して固定される。
【００１９】
以上より、図９に示す緑化用ネット１´においては、ターンバックル３１，３２，３３，３４，３５，３６を一方向に回動することにより、外水平棒８Ｂ，外水平棒９Ｂ，外水平棒１０Ｂを建造物２の壁面３方向に近づけたり、ターンバックル３１，３２，３３，３４，３５，３６を他方向に回動することにより、外水平棒８Ｂ，外水平棒９Ｂ，外水平棒１０Ｂを建造物２の壁面３から遠ざけたりして、壁面３とネット５´との間隔Ｄ´の調整が可能となる。
つまり、緑化用ネット１´のターンバックル３１，３２，３３，３４，３５，３６は、壁面３及び外水平棒８Ｂ，外水平棒９Ｂ，外水平棒１０Ｂの間隔を変更して、壁面３とネット５´との間隔Ｄ´（壁面３に対するネット５´の位置）を調整する間隔調整手段である。
【００２０】
よって、植栽する植物の種類や植物の生育度合、あるいは季節等に応じて、植物の生育前や、生育途中であっても壁面３に対するネット５´の間隔Ｄ´を調整することにより植物の密度の増加，減少等の調整ができる。このことから、窓３Ａに対する日射抑制効果の向上や壁面３の外観を向上することが可能となる。
【００２１】
実施形態２
図４は、本発明による緑化用ネット１の他の実施形態を示す要部斜視図であり、本実施形態における間隔調整手段は、ターンバックル３１，３２，３３，３４，３５，３６に替えて中空部Ｔの両側に前述の雌ねじ部Ｆ１，雌ねじ部Ｆ２を有する筒体５０により構成される。なお、以降の実施形態の説明においては、内ネット４と外ネット５とを備える緑化用ネット１を前提として説明する。
筒体５０の上記雌ねじ部Ｆ１，雌ねじ部Ｆ２に突出棒８Ｃ，８Ｄ，９Ｃ，９Ｄ，１０Ｃ，１０Ｄの雄ねじ部Ｎ１，Ｎ２を螺合させて筒体５０を回動して内水平棒８Ａ，９Ａ，１０Ａと外水平棒８Ｂ，９Ｂ，１０Ｂとの間隔を調整可能としている。
【００２２】
この場合、筒体５０の左右両端にフランジ５０Ａ；５０Ａを設け、筒体５０の外周に引張り紐５１を巻き付けて、引張り紐５１の引張り量を調整することにより筒体５０を適量回動させて、内ネット４と外ネット５との間隔Ｄを調整することもできる。
【００２３】
また、間隔調整手段として図５に示すように突張り棒として称される伸縮棒６０を用いても良い。この伸縮棒６０は、外筒６１の端部側に、突出棒８Ｃ，９Ｃ，１０Ｃの先端のフランジ部Ｑを回動自在に取付けて外筒６１を周方向に回動可能として、外筒６１の内面に形成した雌ねじ部Ｒの長さより突出棒８Ｄ，９Ｄ，１０Ｄの雄ねじ部Ｎ２を螺合し、外筒６１を周方向に回動させることで、突出棒８Ｄ，９Ｄ，１０Ｄを押出すようにして内ネット４と外ネット５との間隔Ｄを調整するようにしても良い。
【００２４】
この場合、図４に示す筒体５０と同様、外筒６１の外周に引張り紐５１の一部を巻回して引張り紐５１を引くことにより、外筒６１を回動しても良い。あるいは、図６に示すように左，右の外筒６１；６１に図示の如く１本の引張り紐５１を共通に巻き付けても良く、これにより外筒６１；６１を同期して伸縮動作させることが可能となる。
あるいは、外筒６１または筒体５０について、上，下に対応するものを一本の紐で共通に巻き付けて、回動可能としても、さらには左，右及び上，下の外筒６１または筒体５０を一本の紐で引張って回動して伸縮動作可能としてもよい。また、モータ等の動力でこの紐を引張ることも可能である。
【００２５】
以上の構成より、図４乃至図６に示すように、筒体５０または伸縮棒６０を一方向に回動することにより、外水平棒８Ｂ，９Ｂ，１０Ｂを内水平棒８Ａ，９Ａ，１０Ａ（建造物２の壁面３）方向に近づけたり、筒体５０または伸縮棒６０を他方向に回動することにより、外水平棒８Ｂ，９Ｂ，１０Ｂを内水平棒８Ａ，９Ａ，１０Ａ（建造物２の壁面３）方向から遠ざけたりして、内ネット４と外ネット５との間隔Ｄの調整を行うことが可能となる。
なお、本実施形態においても内ネット４及び外ネット５の２枚のネットに限定されず、図９に示すように、１枚のネットから緑化用ネットを構成しても良い。
【００２６】
実施形態３
図７は、本発明による緑化用ネット１の他の実施形態を示す簡略構成図である。本実施形態においては、間隔調整手段がリンク機構７０により構成される。
同図において、リンク機構７０は、壁面３より突出する左，右の長尺板７１の先端側に長尺板７１の長手方向に延長するスロット７２を形成し、このスロット７２にリンク機構７０が有する棒状の摺動リンク７３の先端を摺動部７３Ａに摺動自在に取付け、摺動リンク７３の後端に、先端を回転可能に固定し、摺動リンク７３と対向する棒状の支持リンク７４を設け、この支持リンク７４の後端を長尺板７１の回転部７５に回転自在に固定し、摺動リンク７３と支持リンク７４との間に引張りばね７６を取り付けて、摺動リンク７３に後方（壁面３方向）へ移動可能な摺動性を与える。
【００２７】
内ネット４は、長尺板７１に水平に設けた内水平棒１０Ａに壁面３に近接して取付け、外ネット５は摺動部７３Ａに外水平棒１０Ｂに取付けて、縦紐７７の上端を摺動リンク７３と支持リンク７４との上端の枢支部７０Ｓに取付ける。枢支部７０Ｓは、例えばヒンジ等により構成され、摺動リンク７３と支持リンク７４とを接続する部分であって、摺動部７３Ａがスロット７２内を摺動することにより前後方向に回転（開放）する。
なお、外ネット５の下端部は、例えば砂袋等の錘７８と接続される。また、建造物２には、多段に縦紐７７をくくり付けるための係止部３Ｍを設けている。
【００２８】
このような構成によれば、縦紐７７を引張ることにより枢支部７０Ｓが開放し、摺動リンク７３の摺動部７３Ａがスロット７２内を前方にスライドして、摺動リンク７３が広がり、外ネット５側を外方に移動できる。そして、縦紐７７は、係止部３Ｍのいずれかにくくりつけて外ネット５を一定の位置に保持すれば、リンク機構７０によっても、内ネット４と外ネット５との間隔Ｄの調整が可能となる。
なお、リンク機構７０の作動方向は、摺動部７３Ａを前方にスライドさせる形態に限定されるものではなく、スロット７２を長尺板７１の後端側に形成し、摺動リンク７３及び摺動部７３Ａと、支持リンク７４及び回転部７５との位置を入れ替え、摺動部７３Ａを後方にスライドさせる形態としても良い。また、本実施形態においても、上記各実施形態と同様に、図９に示すような１枚のネットから緑化用ネットを構成しても良い。
【００２９】
実施形態４
図８は、本発明による緑化用ネット１の他の実施形態を示す簡略構成図である。本実施形態においては、間隔調整手段が滑車機構８０である点で上記各実施形態と異なる。
同図において滑車機構８０は、長尺板８８の下面から下方に向かって突出する吊り具８１に、縦向き状態で回転可能に固定される第一滑車８４と、吊り具８１と同一の長さを有する吊り具８２に回転可能に固定され、第一滑車８４と同一の直径を有する第二滑車８５と、吊り具８１，８２よりも長尺な吊り具８３に回転可能に固定され、第一滑車８４，第二滑車８５よりも小径な直径を有する第三滑車８６と、第一滑車８４，第二滑車８５及び第三滑車８６のそれぞれに掛け渡される１本の作動ロープ８７とを備える。
【００３０】
滑車機構８０を側面視した場合、第一滑車８４は、長尺板８８の先端側で外ネット５よりも前方側に設けられる。第二滑車８５は、長尺板８８の後方側で、内ネット４と外ネット５との間に設けられる。第三滑車８６は、外ネット５よりも前方側であって、第一滑車８４と第二滑車８５との間に設けられる。つまり、第一滑車８４と第三滑車８６とは、互いに近接した状態で並設される。
また、第一滑車８４上端と第二滑車８５の上端とは同一の高さに設定され、第二滑車８５（第一滑車８４）の下端と第三滑車８６の上端とは同一の高さに設定される。このため、作動ロープ８７に捻じれ等が生じることなく作動ロープ８７をまっすぐに掛け渡すことができる。
作動ロープ８７のうち、第二滑車８５と第三滑車８６との間には、外ネット５の上端側が接続される。外ネット５の下端側は、上述の錘７８に接続される。
【００３１】
本実施形態の緑化用ネット１において、内ネット４と外ネット５との間隔Ｄを変更するには、作動ロープ８７を作動ロープ８７Ａ側または作動ロープ８７Ｂ側に引き下げる。例えば、作動ロープ８７Ｂ側を下方に引き下げた場合、外ネット５が前側に移動し、内ネット４と外ネット５との間隔Ｄを広げることができる。一方、作動ロープ８７Ａ側を下方に引き下げた場合、外ネット５が後側に移動し、内ネット４と外ネット５との間隔Ｄを狭めることができる。
【００３２】
このように滑車機構８０を備えた緑化用ネット１においても作動ロープ８７を引き下げることにより、当該作動ロープ８７の引下げ量に応じて外ネット５が前後方向に移動するので、内ネット４と外ネット５との間隔Ｄを変更することが可能となる。
なお、滑車は上記実施形態に限定されることなく、例えば２車式の滑車を用いることにより、第一滑車８４と第三滑車８６とを１つの滑車に集約した形態としてもよい。また、例えば、滑車を第一滑車８４と第二滑車８５とからなる構成とし、第一滑車８４から第二滑車８５に掛け渡した作動ロープ８７を再度第一滑車８４に掛け渡し、当該第一滑車８４を一周巻回させた形態としてもよい。また、本実施形態においても、上記各実施形態と同様に、図９に示すような１枚のネットから緑化用ネットを構成しても良い。
さらに、内ネット４を固定体１１，１２及び長尺板８８に固定し、外ネット５を前後方向に移動する形態としたが、これに限定されず、外ネット５を固定し、内ネット４を作動ロープ８７と接続することにより、内ネット４を前後方向に移動可能としても良い。
【００３３】
以上、本実施形態では緑化用ネット１の内ネット４，外ネット５、または緑化用ネット１´のネット５´を壁面３と平行に設置する形態としたが、例えば内ネット４，外ネット５、またはネット５´の上方側の間隔Ｄを狭くし、内ネット４，外ネット５、またはネット５´の下方側の間隔Ｄを広くし、内ネット４と外ネット５に傾斜をつけてもよい。あるいは、内ネット４，外ネット５、またはネット５´の上方側の間隔Ｄが広がるような傾斜でもよい。
また、上記実施形態においては、内ネット４を固定し、外ネット５を内ネット４に対して前後方向に移動させる間隔Ｄを調整可能な形態としたが、内ネット４及び外ネット５の両方のネットを動かして間隔Ｄを調整可能な形態としてもよい。さらに、本明細書中においては、各実施形態を個別に説明したが、上記各実施形態の間隔調整手段を複数組み合わせた形態としてもよい。
【符号の説明】
【００３４】
１  緑化用ネット、２  建造物、３  壁面、４  内ネット、５  外ネット、
８  下フレーム、９  中フレーム、１０  上フレーム、
３１，３２，３３，３４，３５，３６  ターンバックル、
５０  筒体、６０  伸縮棒、６１  外筒、
７０  リンク機構、７３  摺動リンク、７４  支持リンク、７６  引張りばね、
８０  滑車機構、８４  第一滑車、８５  第二滑車、８６  第三滑車、
Ｆ１，Ｆ２  雌ねじ部、Ｎ１，Ｎ２  雄ねじ部。
【図１】
2014217277.tif 000003
【図２】
2014217277.tif 000004
【図３】
2014217277.tif 000005
【図４】
2014217277.tif 000006
【図５】
2014217277.tif 000007
【図６】
2014217277.tif 000008
【図７】
2014217277.tif 000009
【図８】
2014217277.tif 000010
【図９】
2014217277.tif 000011